(57)【要約】【課題】本発明は、無線通信を確立する対象の基地局をより短時間に検出することを可能とする携帯端末等を提供することを目的とする。【解決手段】携帯端末２は、無線通信可能な複数の周波数帯域を記憶する記憶部２５と、各基地局から送信される各報知情報を受信する受信部２１４と、受信周波数帯域を所定の順序に従って各周波数帯域に変更して変更した各周波数帯域の報知情報を受信する周波数帯域変更処理を定期的に実行する周波数帯域変更部２６１と、受信した報知情報の電波品質又は電界強度が第１の基準を満たす場合、次の周波数帯域変更処理における第１の基準を満たす報知情報に係る周波数帯域の順序を変更する順序変更部２６２と、受信した報知情報の電波品質又は電界強度が第２の基準を満たす場合、第２の基準を満たす報知情報を送信した基地局を無線通信を確立する基地局に決定する決定部２６３と、を有する。【選択図】図１
2018026643.tif 000002
【特許請求の範囲】
【請求項１】
それぞれ周波数帯域の異なる報知情報を継続的に送信する複数の基地局の内の何れかと無線通信を確立することによりネットワークと接続する携帯端末であって、
前記携帯端末が無線通信可能な複数の周波数帯域を記憶する記憶部と、
各基地局から送信される各報知情報を受信する受信部と、
前記受信部の受信周波数帯域を、所定の順序に従って、前記記憶部に記憶された各周波数帯域に変更して、変更した各周波数帯域の報知情報を前記受信部に受信させる周波数帯域変更処理を定期的に実行する周波数帯域変更部と、
前記周波数帯域変更処理において受信した報知情報の電波品質又は電界強度が第１の基準を満たす場合、次の前記周波数帯域変更処理における、前記第１の基準を満たす報知情報に係る周波数帯域の順序を変更する順序変更部と、
前記周波数帯域変更処理において受信した報知情報の電波品質又は電界強度が前記第１の基準と異なる第２の基準を満たす場合、前記第２の基準を満たす報知情報を送信した基地局を、無線通信を確立する基地局に決定する決定部と、
を有することを特徴とする携帯端末。
【請求項２】
前記順序変更部は、前記第１の基準を満たす報知情報に係る周波数帯域を、前記第１の基準を満たさない報知情報に係る周波数帯域より優先させるように、前記順序を変更する、請求項１に記載の携帯端末。
【請求項３】
周波数特性を変更可能であり、且つ、前記複数の周波数帯域の信号に対応した無線回路と、
前記周波数帯域変更処理において受信した報知情報の電波品質又は電界強度が前記第１の基準を満たす場合、前記第１の基準を満たす報知情報に係る周波数帯域における前記無線回路の周波数特性を変更する周波数特性変更部と、をさらに有する請求項１または２に記載の携帯端末。
【請求項４】
前記周波数特性変更部は、前記第１の基準を満たす報知情報に係る周波数帯域の信号の増幅率が前記第１の基準を満たさない報知情報に係る周波数帯域の信号の増幅率より大きくなるように、又は、前記第１の基準を満たす報知情報に係る周波数帯域の信号の減衰率が前記第１の基準を満たさない報知情報に係る周波数帯域の信号の減衰率より小さくなるように、前記無線回路の周波数特性を変更する、請求項３に記載の携帯端末。
【請求項５】
エリア毎に無線通信可能な周波数帯域を記憶するサーバと通信を行い、
前記携帯端末が存在する位置を検出する位置検出部と、
前記携帯端末が存在する位置を前記サーバに送信し、前記携帯端末が存在する位置において無線通信可能な周波数帯域を前記サーバから取得する周波数帯域取得部と、をさらに有し、
前記周波数特性変更部は、前記周波数帯域取得部が前記サーバから前記携帯端末が存在する位置において無線通信可能な周波数帯域を取得した場合、前記周波数帯域変更処理において受信した前記サーバから取得した周波数帯域の報知情報の電波品質又は電界強度が前記第１の基準を満たすか否かに関わらず、前記サーバから取得した周波数帯域における前記無線回路の周波数特性を変更する、請求項３または４に記載の携帯端末。
【請求項６】
エリア毎に無線通信可能な周波数帯域を記憶するサーバと通信を行い、
前記携帯端末が存在する位置を検出する位置検出部と、
前記携帯端末が存在する位置を前記サーバに送信し、前記携帯端末が存在する位置において無線通信可能な周波数帯域を前記サーバから取得する周波数帯域取得部と、
周波数特性を変更可能であり、且つ、前記複数の周波数帯域の信号に対応した無線回路と、
前記周波数帯域取得部が取得した周波数帯域における前記無線回路の周波数特性を変更する周波数特性変更部と、をさらに有する請求項１または２に記載の携帯端末。
【請求項７】
前記周波数特性変更部は、前記携帯端末が存在する位置において無線通信可能な周波数帯域の信号の増幅率が他の周波数帯域の信号の増幅率より大きくなるように、又は、前記携帯端末が存在する位置において無線通信可能な周波数帯域の信号の減衰率が他の周波数帯域の信号の減衰率より小さくなるように、前記無線回路の周波数特性を変更する、請求項６に記載の携帯端末。
【請求項８】
前記周波数特性変更部は、前記位置検出部が前記携帯端末が存在する位置を検出できない場合、又は、前記周波数帯域取得部が前記サーバから前記携帯端末が存在する位置において無線通信可能な周波数帯域を取得できない場合、前記周波数帯域変更処理において受信した報知情報の電波品質又は電界強度が前記第１の基準を満たすか否かに基づいて、前記無線回路の周波数特性を変更する、請求項６または７に記載の携帯端末。
【請求項９】
前記第２の基準は、前記第１の基準より厳格な基準である、請求項１〜８の何れか一項に記載の携帯端末。
【請求項１０】
記憶部及び受信部を有し、それぞれ周波数帯域の異なる報知情報を継続的に送信する複数の基地局の内の何れかと無線通信を確立することによりネットワークと接続する携帯端末の制御方法であって、
前記携帯端末が無線通信可能な複数の周波数帯域を前記記憶部に記憶し、
前記受信部の受信周波数帯域を、所定の順序に従って、前記記憶部に記憶された各周波数帯域に変更して、変更した各周波数帯域の報知情報を前記受信部に受信させる周波数帯域変更処理を定期的に実行し、
前記周波数帯域変更処理において受信した報知情報の電波品質又は電界強度が第１の基準を満たす場合、次の前記周波数帯域変更処理における、前記第１の基準を満たす報知情報に係る周波数帯域の順序を変更し、
前記周波数帯域変更処理において受信した報知情報の電波品質又は電界強度が前記第１の基準と異なる第２の基準を満たす場合、前記第２の基準を満たす報知情報を送信した基地局を、無線通信を確立する基地局に決定する、
ことを含むことを特徴とする制御方法。
【請求項１１】
記憶部及び受信部を有し、それぞれ周波数帯域の異なる報知情報を継続的に送信する複数の基地局の内の何れかと無線通信を確立することによりネットワークと接続する携帯端末の制御プログラムであって、
前記携帯端末が無線通信可能な複数の周波数帯域を前記記憶部に記憶し、
前記受信部の受信周波数帯域を、所定の順序に従って、前記記憶部に記憶された各周波数帯域に変更して、変更した各周波数帯域の報知情報を前記受信部に受信させる周波数帯域変更処理を定期的に実行し、
前記周波数帯域変更処理において受信した報知情報の電波品質又は電界強度が第１の基準を満たす場合、次の前記周波数帯域変更処理における、前記第１の基準を満たす報知情報に係る周波数帯域の順序を変更し、
前記周波数帯域変更処理において受信した報知情報の電波品質又は電界強度が前記第１の基準と異なる第２の基準を満たす場合、前記第２の基準を満たす報知情報を送信した基地局を、無線通信を確立する基地局に決定する、
ことを前記携帯端末に実行させることを特徴とする制御プログラム。
【発明の詳細な説明】
【技術分野】
【０００１】
本発明は、基地局と無線通信を確立する携帯端末、制御方法及び制御プログラムに関する。
【背景技術】
【０００２】
一般に、携帯端末は、様々な地域で利用されることを想定して、複数の基地局のそれぞれとの無線通信を確立できるように、複数の周波数帯域をサポートしている。携帯端末は、基地局との無線通信を確立する際、基地局のサーチ（周波数サーチ）を実行し、受信品質又は受信電界が最も高い信号を送信している基地局を選択し、選択した基地局との無線通信を確立する。
【０００３】
例えば、特許文献１には、セルサーチ（バンドサーチ）を行う携帯端末が開示されている。この携帯端末は、在圏セル及び周辺セルの受信レベルを測定し、利用可能な周波数及び移行先候補のセルを検出し、移行先候補のセルの中から、予め保存しているテーブルを参照することで、利用可能なネットワークを選択する。
【先行技術文献】
【特許文献】
【０００４】
【特許文献１】特開２０１２−１０４９６６号公報
【発明の概要】
【発明が解決しようとする課題】
【０００５】
一般に、携帯端末は、無線通信可能な周波数帯域として多数の周波数帯域をサポートしており、各周波数帯域について順次周波数サーチを実行すると、基地局を検出するまでに多大な時間を要する。携帯端末では、より短時間に通信接続できるように、無線通信を確立する対象の基地局をより短時間に検出することが望まれている。
【０００６】
本発明は、このような従来の課題を解決すべくなされたものであり、無線通信可能な周波数帯域として複数の周波数帯域をサポートする携帯端末において、無線通信を確立する対象の基地局をより短時間に検出することを可能とする携帯端末、制御方法及び制御プログラムを提供することを目的とする。
【課題を解決するための手段】
【０００７】
本発明に係る携帯端末は、それぞれ周波数帯域の異なる報知情報を継続的に送信する複数の基地局の内の何れかと無線通信を確立することによりネットワークと接続する携帯端末であって、携帯端末が無線通信可能な複数の周波数帯域を記憶する記憶部と、各基地局から送信される各報知情報を受信する受信部と、受信部の受信周波数帯域を、所定の順序に従って、記憶部に記憶された各周波数帯域に変更して、変更した各周波数帯域の報知情報を受信部に受信させる周波数帯域変更処理を定期的に実行する周波数帯域変更部と、周波数帯域変更処理において受信した報知情報の電波品質又は電界強度が第１の基準を満たす場合、次の周波数帯域変更処理における、第１の基準を満たす報知情報に係る周波数帯域の順序を変更する順序変更部と、周波数帯域変更処理において受信した報知情報の電波品質又は電界強度が第１の基準と異なる第２の基準を満たす場合、第２の基準を満たす報知情報を送信した基地局を、無線通信を確立する基地局に決定する決定部と、を有する。
【０００８】
また、本発明に係る携帯端末において、順序変更部は、第１の基準を満たす報知情報に係る周波数帯域を、第１の基準を満たさない報知情報に係る周波数帯域より優先させるように、順序を変更することが好ましい。
【０００９】
また、本発明に係る携帯端末において、周波数特性を変更可能であり、且つ、複数の周波数帯域の信号に対応した無線回路と、周波数帯域変更処理において受信した報知情報の電波品質又は電界強度が第１の基準を満たす場合、第１の基準を満たす報知情報に係る周波数帯域における無線回路の周波数特性を変更する周波数特性変更部と、をさらに有することが好ましい。
【００１０】
また、本発明に係る携帯端末において、周波数特性変更部は、第１の基準を満たす報知情報に係る周波数帯域の信号の増幅率が第１の基準を満たさない報知情報に係る周波数帯域の信号の増幅率より大きくなるように、又は、第１の基準を満たす報知情報に係る周波数帯域の信号の減衰率が第１の基準を満たさない報知情報に係る周波数帯域の信号の減衰率より小さくなるように、無線回路の周波数特性を変更することが好ましい。
【００１１】
また、本発明に係る携帯端末において、エリア毎に無線通信可能な周波数帯域を記憶するサーバと通信を行い、携帯端末が存在する位置を検出する位置検出部と、携帯端末が存在する位置をサーバに送信し、携帯端末が存在する位置において無線通信可能な周波数帯域をサーバから取得する周波数帯域取得部と、をさらに有し、周波数特性変更部は、周波数帯域取得部がサーバから携帯端末が存在する位置において無線通信可能な周波数帯域を取得した場合、周波数帯域変更処理において受信したサーバから取得した周波数帯域の報知情報の電波品質又は電界強度が第１の基準を満たすか否かに関わらず、サーバから取得した周波数帯域における無線回路の周波数特性を変更することが好ましい。
【００１２】
また、本発明に係る携帯端末において、エリア毎に無線通信可能な周波数帯域を記憶するサーバと通信を行い、携帯端末が存在する位置を検出する位置検出部と、携帯端末が存在する位置をサーバに送信し、携帯端末が存在する位置において無線通信可能な周波数帯域をサーバから取得する周波数帯域取得部と、周波数特性を変更可能であり、且つ、複数の周波数帯域の信号に対応した無線回路と、周波数帯域取得部が取得した周波数帯域における無線回路の周波数特性を変更する周波数特性変更部と、をさらに有することが好ましい。
【００１３】
また、本発明に係る携帯端末において、周波数特性変更部は、携帯端末が存在する位置において無線通信可能な周波数帯域の信号の増幅率が他の周波数帯域の信号の増幅率より大きくなるように、又は、携帯端末が存在する位置において無線通信可能な周波数帯域の信号の減衰率が他の周波数帯域の信号の減衰率より小さくなるように、無線回路の周波数特性を変更することが好ましい。
【００１４】
また、本発明に係る携帯端末において、周波数特性変更部は、位置検出部が携帯端末が存在する位置を検出できない場合、又は、周波数帯域取得部がサーバから携帯端末が存在する位置において無線通信可能な周波数帯域を取得できない場合、周波数帯域変更処理において受信した報知情報の電波品質又は電界強度が第１の基準を満たすか否かに基づいて、無線回路の周波数特性を変更することが好ましい。
【００１５】
また、本発明に係る携帯端末において、第２の基準は、第１の基準より厳格な基準であることが好ましい。
【００１６】
本発明に係る制御方法は、記憶部及び受信部を有し、それぞれ周波数帯域の異なる報知情報を継続的に送信する複数の基地局の内の何れかと無線通信を確立することによりネットワークと接続する携帯端末の制御方法であって、携帯端末が無線通信可能な複数の周波数帯域を記憶部に記憶し、受信部の受信周波数帯域を、所定の順序に従って、記憶部に記憶された各周波数帯域に変更して、変更した各周波数帯域の報知情報を受信部に受信させる周波数帯域変更処理を定期的に実行し、周波数帯域変更処理において受信した報知情報の電波品質又は電界強度が第１の基準を満たす場合、次の周波数帯域変更処理における、第１の基準を満たす報知情報に係る周波数帯域の順序を変更し、周波数帯域変更処理において受信した報知情報の電波品質又は電界強度が第１の基準と異なる第２の基準を満たす場合、第２の基準を満たす報知情報を送信した基地局を、無線通信を確立する基地局に決定することを含む。
【００１７】
本発明に係る制御プログラムは、記憶部及び受信部を有し、それぞれ周波数帯域の異なる報知情報を継続的に送信する複数の基地局の内の何れかと無線通信を確立することによりネットワークと接続する携帯端末の制御プログラムであって、携帯端末が無線通信可能な複数の周波数帯域を記憶部に記憶し、受信部の受信周波数帯域を、所定の順序に従って、記憶部に記憶された各周波数帯域に変更して、変更した各周波数帯域の報知情報を受信部に受信させる周波数帯域変更処理を定期的に実行し、周波数帯域変更処理において受信した報知情報の電波品質又は電界強度が第１の基準を満たす場合、次の周波数帯域変更処理における、第１の基準を満たす報知情報に係る周波数帯域の順序を変更し、周波数帯域変更処理において受信した報知情報の電波品質又は電界強度が第１の基準と異なる第２の基準を満たす場合、第２の基準を満たす報知情報を送信した基地局を、無線通信を確立する基地局に決定することを携帯端末に実行させる。
【発明の効果】
【００１８】
本発明に係るサーバ、携帯端末、制御方法及び制御プログラムは、無線通信可能な周波数帯域として複数の周波数帯域をサポートする携帯端末において、無線通信を確立する対象の基地局をより短時間に検出することが可能となる。
【図面の簡単な説明】
【００１９】
【図１】通信システム１による処理の一例を説明するための模式図である。
【図２】通信システム１の概略構成の一例を示す図である。
【図３】携帯端末２の概略構成の一例を示す図である。
【図４】通信部２１の概略構成の一例を示す図である。
【図５】周波数テーブルのデータ構造の一例を示す図である。
【図６】サーバ４の概略構成の一例を示す図である。
【図７】サーチ処理の動作の例を示すフローチャートである。
【図８】通信システム１による処理の他の例を説明するための模式図である。
【図９】サーチ処理の動作の他の例を示すフローチャートである。
【図１０】通信システム１による処理の更に他の例を説明するための模式図である。
【図１１】エリアテーブルのデータ構造の一例を示す図である。
【図１２】サーチ処理の動作の更に他の例を示すフローチャートである。
【発明を実施するための形態】
【００２０】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２１】
（第１の実施形態）
図１は、第１の実施形態に係る通信システム１による処理の一例を説明するための模式図である。
【００２２】
通信システム１は、携帯端末２及び複数の基地局３ａ、３ｂを有する。携帯端末２は、複数の基地局３ａ、３ｂの内の何れかと無線通信を確立することによりネットワークと接続する。携帯端末２は、例えば、「スマートフォン」と呼ばれる多機能携帯電話機又はフィーチャーフォンと呼ばれる携帯電話機であるが、データ通信専用の機器であってもよく、そのデータ通信専用の機器は、携帯型でも据え置き型でもよい。基地局３ａ、３ｂは、携帯端末２が自局を検出できるように、それぞれ周波数帯域の異なる報知情報を継続的に送信する。
【００２３】
携帯端末２は、無線通信可能な複数の周波数帯域を、サーチ順序及びサーチ状態と関連付けて記憶しており、記憶したサーチ順序に従って周波数サーチ（周波数帯域変更処理）を定期的に実行する。携帯端末２は、周波数サーチにおいて、記憶したサーチ順序に従って受信周波数帯域を、記憶している各周波数帯域に変更しながら、変更した各周波数帯域の報知情報を受信し、受信した各報知情報の電波品質又は電界強度を測定する。携帯端末２は、測定した電波品質又は電界強度が一定の基準を満たす場合、その周波数帯域の報知情報を送信する基地局が周辺に存在する可能性が高いと判定し、その周波数帯域のサーチ順序をより優先させるように、以降の周波数サーチにおけるサーチ順序を変更する。また、携帯端末２は、測定した電波品質又は電界強度が第２の基準を満たす場合、周波数帯域の報知情報を送信した基地局が周辺に存在すると判定し、その基地局との無線通信を確立する。第２の基準は第１の基準とは異なる基準であり、第１の基準より厳格な基準である。
【００２４】
図１に示す例では、携帯端末２は、基地局３ａから受信した報知情報の周波数帯域Ｂのサーチ順序、及び、基地局３ｂから受信した報知情報の周波数帯域Ｃのサーチ順序を他の周波数帯域Ａのサーチ順序より優先させるように、サーチ順序を変更している。
【００２５】
このように、携帯端末２は、周辺に存在する可能性が高い基地局に対応する周波数帯域を優先させるようにサーチ順序を変更しながら周波数サーチを実行する。したがって、携帯端末２は、無線通信を確立できる基地局をより短時間に検出することが可能となり、より短時間に通信接続することが可能となる。なお、携帯端末２は、特定の基地局との無線通信を確立した後も周波数サーチを実行し続ける。したがって、携帯端末２は、例えば利用者が移動して、無線通信を確立している基地局と通信できない状態になった場合でも、新たに無線通信を確立できる基地局をより短時間に検出することが可能となり、より短時間に通信接続を復旧することが可能となる。
【００２６】
図２は、実施形態に従った通信システム１の概略構成の一例を示す図である。
【００２７】
通信システム１は、携帯端末２、複数の基地局３ａ、３ｂ及びサーバ４等を有する。
【００２８】
通信システム１では、各基地局３ａ、３ｂが、特定の地域内をカバーする無線エリアを管理するように配置され、携帯電話の移動体通信網５に含まれる不図示の無線ネットワーク制御装置を介して不図示の交換機に接続される。その特定の地域内の携帯端末２は、基地局３ａ、３ｂ、移動体通信網５に接続され、その地域内外の他の携帯端末と通信を行う。さらに、携帯端末２は、ゲートウェイ６を介して、インターネット等のネットワーク７に接続され、サーバ４等と通信を行う。なお、以下では、各基地局３ａ、３ｂをまとめて基地局３と称する場合がある。
【００２９】
基地局３は、無線エリア内に位置する各携帯端末２との間で無線信号を送受信し、不図示の無線ネットワーク制御装置を介して、各携帯端末２と不図示の交換機との間の通信を中継する装置である。各基地局３は、それぞれ周波数帯域の異なる、各基地局３がサポートする周波数帯域の報知情報を継続的に送信（ブロードキャスト）する。
【００３０】
図３は、携帯端末２の概略構成の一例を示す図である。
【００３１】
携帯端末２は、基地局３のサーチ、通話、所定のアプリケーションプログラムの実行等を可能とする。そのために、携帯端末２は、通信部２１と、操作部２２と、表示部２３と、位置検出部２４と、記憶部２５と、制御部２６とを備える。
【００３２】
通信部２１は、例えば２．１ＧＨｚ帯等の帯域を感受帯域とするアンテナを含む、通信インターフェース回路を有する。通信部２１は、基地局３ａ、３ｂ及び移動体通信網５を介して、その地域内外の他の携帯端末と通信を行い、さらにゲートウェイ６及びネットワーク７を介してサーバ４と通信を行う。通信部２１は、基地局３により割り当てられるチャネルを介して、基地局３の内の何れかとの間でＷ−ＣＤＭＡ（Wideband Code Division Multiple Access）方式等による無線通信を確立し、基地局３との間で通信を行う。なお、基地局３との間の通信方式は、Ｗ−ＣＤＭＡ方式に限定されず、ＣＤＭＡ（Code Division Multiple Access）方式、ＬＴＥ（Long Term Evolution）方式等の他の通信方式でもよく、今後使用される通信方式でもよい。また、基地局３との間の通信方式は、ＰＨＳ（Personal Handy-phone System）等の他の通信方式でもよい。通信部２１は、基地局３から受信したデータを制御部２６に供給し、制御部２６から供給されたデータを基地局３に送信する。
【００３３】
操作部２２は、携帯端末２の操作が可能であればどのようなデバイスでもよく、例えば、タッチパネル式の入力装置、キーパッド等である。利用者は、操作部２２を用いて、文字、数字等を入力することができる。操作部２２は、利用者により操作されると、その操作に対応する信号を発生する。発生した信号は、利用者の指示として、制御部２６に入力される。
【００３４】
表示部２３は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２３は、制御部２６から供給される動画像データに応じた動画像、静止画像データに応じた静止画像等を表示する。
【００３５】
位置検出部２４は、携帯端末２が現在存在する現在位置を検出する。位置検出部２４は、主に１．５ＧＨｚ帯を感受帯域とするアンテナを含むＧＰＳ回路を有し、不図示のＧＰＳ衛星からＧＰＳ信号を受信する。位置検出部２４は、受信したＧＰＳ信号をデコードし、時刻情報等を取得する。そして、位置検出部２４は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出し、位置情報として出力する。
【００３６】
なお、位置検出部２４は、ＧＰＳの代わりに、無線ＬＡＮのアクセスポイントから発信されるビーコン信号の電波強度に基づいて、携帯端末２の現在位置を検出してもよい（いわゆるＷｉＦｉ測位方式）。その場合、位置検出部２４は、少なくとも三つのアクセスポイントから受信したビーコン信号の電波強度に基づいて、各アクセスポイントとの間の距離を推定し、不図示のアクセスポイント位置管理サーバから取得した各アクセスポイントの位置と、推定した距離とから携帯端末２の現在位置を検出する。または、位置検出部２４は、携帯電話の基地局から受信したセルＩＤ（Identifier）を利用して、携帯端末２の現在位置を検出してもよい（いわゆるセル測位方式）。
【００３７】
記憶部２５は、例えば、半導体メモリを有する。記憶部２５は、制御部２６による処理に用いられる各種コンピュータプログラム、データ等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２５にインストールされてもよい。また、記憶部２５は、データとして、携帯端末２が無線通信可能な複数の周波数帯域を管理するための周波数帯域テーブル等を記憶する。
【００３８】
制御部２６は、一又は複数個のプロセッサ及びその周辺回路を有する。制御部２６は、携帯端末２の全体的な動作を統括的に制御するものであり、例えば、ＣＰＵ（Central Processing Unit）である。制御部２６は、携帯端末２の各種処理が記憶部２５に記憶されているプログラム、操作部２２の操作からの出力等に応じて適切な手順で実行されるように、通信部２１、表示部２３、位置検出部２４等の動作を制御する。
【００３９】
制御部２６は、周波数帯域変更部２６１、順序変更部２６２、決定部２６３、周波数特性変更部２６４及び周波数帯域取得部２６５等を有する。制御部２６が有するこれらの各部は、制御部２６が有するプロセッサ上で実行されるプログラムによって実装される機能モジュールである。あるいは、制御部２６が有するこれらの各部は、独立した集積回路、マイクロプロセッサ、又はファームウェアとして携帯端末２に実装されてもよい。
【００４０】
図４は、通信部２１の概略構成の一例を示す図である。
【００４１】
通信部２１は、アンテナ２１１と、送信部２１２と、無線回路２１３と、受信部２１４と、を備える。
【００４２】
アンテナ２１１は、携帯端末２が無線通信可能な複数の周波数帯域の信号を基地局３との間で送受信する。
【００４３】
送信部２１２は、制御部２６から供給されたデータをアンテナ２１１及び無線回路２１３を介して基地局３に送信する。
【００４４】
無線回路２１３は、携帯端末２が無線通信可能な複数の周波数帯域の信号に対応し、それぞれ一又は複数のインピーダンス変更モジュール、切替器、フィルタ及び増幅器等を有する。無線回路２１３は、アンテナ２１１を介して基地局３から受信した特定の周波数帯域の信号を受信部２１４に供給するとともに、送信部２１２からの信号を、携帯端末２及び基地局３がサポートする周波数帯域の信号に変換し、アンテナ２１１を介して基地局３に送信する。
【００４５】
インピーダンス変更モジュールは、無線回路２１３のインピーダンス値とアンテナ２１１のインピーダンス値を整合させるモジュールであり、制御部２６からの制御により、その設定値を変更可能である。切替器は、無線回路２１３の入出力端と、インピーダンス変更モジュールと、各フィルタと、各増幅器の間の経路を切り替えるスイッチであり、制御部２６からの制御により、その経路を変更可能である。各フィルタは、携帯端末２が無線通信可能な一又は複数の周波数帯域の信号を通過させるフィルタであり、可変コンデンサ、可変抵抗又は可変インダクタ等の部品を有し、制御部２６からの制御により、その通過周波数帯域を変更可能である。増幅器は、各フィルタに入力する信号又は各フィルタが出力した信号を増幅させるアンプであり、制御部２６からの制御により、その増幅率を変更可能である。
【００４６】
このように、無線回路２１３は、制御部２６からの制御により、その周波数特性を変更可能である。特に、無線回路２１３は、複数の周波数帯域の内、一つの周波数帯域の信号のみを通過させるように設定され得ることに加えて、二つ以上の周波数帯域の信号を同時に通過させるように設定され得る。その場合、無線回路２１３は、通過させる全ての周波数帯域の周波数特性が略均一になるように設定される。または、無線回路２１３は、通過させる周波数帯域の内、特定の周波数帯域の周波数特性（出力）が高くなり、他の周波数帯域の周波数特性（出力）が低くなるように設定されてもよい。
【００４７】
受信部２１４は、アンテナ２１１及び無線回路２１３を介して、各基地局３から送信される各周波数帯域の信号を受信し、制御部２６へ供給する。各基地局３から送信される各周波数帯域の信号には、報知情報が含まれる。
【００４８】
図５は、周波数帯域テーブルのデータ構造の一例を示す図である。
【００４９】
図５に示すように、周波数帯域テーブルには、携帯端末２が無線通信可能な複数の周波数帯域が記憶され、各周波数帯域のサーチ順序及びサーチ状態等が記憶される。サーチ順序は、制御部２６が周波数サーチを順次実行する周波数帯域の順序である。携帯端末２の電源起動時の初期値は、任意に設定されている。サーチ状態は、周波数サーチにおける検出結果であり、「未検出」、「可能性あり」、「検出」等の各状態を示す。携帯端末２の電源起動時のサーチ状態の初期値は「未検出」である。
【００５０】
図６は、サーバ４の概略構成の一例を示す図である。
【００５１】
サーバ４は、複数のエリア毎に、各エリアに配置された基地局３を管理するサーバであり、ネットワーク７を介して携帯端末２と接続される。そのために、サーバ４は、サーバ通信部４１と、サーバ記憶部４２と、サーバ制御部４３とを備える。
【００５２】
サーバ通信部４１は、サーバ４をネットワーク７に接続するための通信インターフェース回路を有する。サーバ通信部４１は、ネットワーク７を介して携帯端末２等から受信したデータをサーバ制御部４３に供給し、サーバ制御部４３から受信したデータをネットワーク７を介して携帯端末２に送信する。
【００５３】
サーバ記憶部４２は、例えば、半導体メモリ、磁気ディスク装置、及び光ディスク装置の内の少なくとも一つを有する。サーバ記憶部４２は、サーバ制御部４３による処理に用いられる各種コンピュータプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４２にインストールされてもよい。
【００５４】
サーバ制御部４３は、一又は複数個のプロセッサ及びその周辺回路を有する。サーバ制御部４３は、サーバ４の全体的な動作を統括的に制御するものであり、例えば、ＣＰＵである。サーバ制御部４３は、サーバ４の各種処理がサーバ記憶部４２に記憶されているプログラム等に応じて適切な手順で実行されるように、サーバ通信部４１等の動作を制御する。なお、サーバ制御部４３は、独立した集積回路、マイクロプロセッサ、又はファームウェアとしてサーバ４に実装されてもよい。
【００５５】
図７は、携帯端末２によるサーチ処理の動作の例を示すフローチャートである。
【００５６】
以下に説明するフローチャートは、予め記憶部２５に記憶されているプログラムに基づいて、主に制御部２６により、携帯端末２の各要素と協働して実行される。このフローチャートは、携帯端末２の電源起動直後又は任意のタイミングに実行される。また、このフローチャートが実行される前に、周波数帯域テーブルにおいて各周波数帯域のサーチ順序及びサーチ状態は初期値に設定されているものとする。
【００５７】
最初に、周波数帯域変更部２６１は、各周波数帯域に対する周波数サーチ（周波数帯域変更処理）を実行する（ステップＳ１０１）。周波数帯域変更部２６１は、周波数サーチにおいて、受信部２１４の受信周波数帯域を、周波数帯域テーブルに記憶されたサーチ順序に従って、周波数帯域テーブルに記憶された各周波数帯域に変更して、変更した各周波数帯域の報知情報を受信部２１４に受信させる。
【００５８】
周波数帯域変更部２６１は、周波数帯域テーブルを参照して各周波数帯域のサーチ順序を特定しておく。周波数帯域変更部２６１は、最初にステップＳ１０１の処理を実行する際には、サーチ順序が１番目である周波数帯域を特定する。周波数帯域変更部２６１は、無線回路２１３が有する各モジュールの内の少なくとも一つのモジュールに対して設定を行うことにより、通過周波数帯域（受信部２１４の受信周波数帯域及び送信部２１２の送信周波数帯域）を、特定した周波数帯域に設定する。そして、周波数帯域変更部２６１は、その周波数帯域における電波強度を測定する。測定した電波強度が所定強度値以上である場合、周波数帯域変更部２６１は、設定した周波数帯域の報知情報を受信部２１４が受信するまで（一定期間）待機する。
【００５９】
以降、周波数帯域変更部２６１は、ステップＳ１０１の処理を実行する際に、サーチ順序が２番目以降である周波数帯域を順次特定する。また、周波数帯域変更部２６１は、サーチ順序が最後である周波数帯域まで特定すると、再度、周波数帯域テーブルを参照して各周波数帯域のサーチ順序を特定しなおし、サーチ順序が一番目である周波数帯域を特定する。そして、周波数帯域変更部２６１は、受信部２１４の受信周波数帯域及び送信部２１２の送信周波数帯域を、特定した周波数帯域に設定し、その周波数帯域における電波強度を測定する。測定した電波強度が電波強度閾値以上である場合、周波数帯域変更部２６１は、設定した周波数帯域の報知情報を受信部２１４が受信するまで（一定期間）待機する。
【００６０】
次に、順序変更部２６２は、受信部２１４が報知情報を受信したか否かを判定する（ステップＳ１０２）。
【００６１】
設定した周波数帯域における電波強度が電波強度閾値未満であった場合、又は、一定期間経過しても受信部２１４が報知情報を受信しなかった場合、順序変更部２６２は、処理をステップＳ１０１に戻す。
【００６２】
一方、受信部２１４が報知情報を受信した場合、順序変更部２６２は、受信部２１４が受信した報知情報の電波品質又は電界強度が第１の基準を満たすか否かを判定する（ステップＳ１０３）。例えば、順序変更部２６２は、報知情報の電波品質を表す電波品質値が第１電波品質閾値以上である場合、第１の基準を満たすと判定し、電波品質値が第１電波品質閾値未満である場合、第１の基準を満たさないと判定する。または、順序変更部２６２は、報知情報の電界強度を表す電界強度値が第１電界強度閾値以上である場合、第１の基準を満たすと判定し、電界強度値が第１電界強度閾値未満である場合、第１の基準を満たさないと判定する。
【００６３】
報知情報の電波品質又は電界強度が第１の基準を満たさない場合、順序変更部２６２は、処理をステップＳ１０５へ移行する。
【００６４】
一方、報知情報の電波品質又は電界強度が第１の基準を満たす場合、順序変更部２６２は、周波数帯域テーブルにおいて、第１の基準を満たす報知情報に係る周波数帯域のサーチ順序を変更する（ステップＳ１０４）。例えば、順序変更部２６２は、周波数帯域テーブルにおいて、その周波数帯域に対応するサーチ順序が所定数分だけ高く（前に）なるように、各周波数帯域に対応するサーチ順序を変更する。または、順序変更部２６２は、周波数帯域テーブルにおいて、その周波数帯域に対応するサーチ順序が一番目になるように、各周波数帯域に対応するサーチ順序を変更する。即ち、順序変更部２６２は、第１の基準を満たす報知情報に係る周波数帯域を、第１の基準を満たさない報知情報に係る周波数帯域より優先させるように、サーチ順序を変更する。このように、順序変更部２６２は、報知情報の電波品質又は電界強度が第１の基準を満たす場合、次の周波数サーチにおける、その第１の基準を満たす報知情報に係る周波数帯域のサーチ順序を変更する。また、順序変更部２６２は、周波数帯域テーブルにおいて、その周波数帯域に対応するサーチ状態を「可能性あり」に変更する。
【００６５】
次に、決定部２６３は、受信部２１４が受信した報知情報の電波品質又は電界強度が第２の基準を満たすか否かを判定する（ステップＳ１０５）。第２の基準は、第１の基準より厳格な基準である。例えば、決定部２６３は、報知情報の電波品質を表す電波品質値が、第１電波品質閾値より大きい第２電波品質閾値以上である場合、第２の基準を満たすと判定し、電波品質値が第２電波品質閾値未満である場合、第２の基準を満たさないと判定する。または、決定部２６３は、報知情報の電界強度を表す電界強度値が、第１電界強度閾値より大きい第２電界強度閾値以上である場合、第２の基準を満たすと判定し、電界強度値が第２電界強度閾値未満である場合、第２の基準を満たさないと判定する。
【００６６】
報知情報の電波品質又は電界強度が第２の基準を満たさない場合、決定部２６３は、処理をステップＳ１０１へ移行する。
【００６７】
一方、報知情報の電波品質又は電界強度が第２の基準を満たす場合、決定部２６３は、その第２の基準を満たす報知情報を送信した基地局を、無線通信を確立する基地局に決定し、その基地局との無線通信を確立し（ステップＳ１０６）、処理をステップＳ１０１へ移行する。また、順序変更部２６２は、周波数帯域テーブルにおいて、その周波数帯域に対応するサーチ状態を「検出」に変更する。
【００６８】
処理をステップＳ１０１へ移行すると、周波数帯域変更部２６１は、次のサーチ順序の周波数帯域を特定し、再度、特定した周波数帯域について周波数サーチを実行する。このように、周波数帯域変更部２６１は、周波数サーチを定期的に実行する。
【００６９】
以上説明してきたように、携帯端末２は、周辺に存在する可能性が高い基地局に対応する周波数帯域を優先させるようにサーチ順序を変更しながら周波数サーチを実行する。したがって、携帯端末２は、無線通信を確立できる基地局をより短時間に検出することが可能となり、より短時間に通信接続することが可能となる。
【００７０】
（第２の実施形態）
図８は、第２の実施形態に係る通信システム１による処理の一例を説明するための模式図である。
【００７１】
第２の実施形態に係る通信システム１の構成は、第１の実施形態に係る通信システム１の構成と同様である。但し、携帯端末２は、周波数サーチにおいて受信した周波数帯域の報知情報の電波品質又は電界強度が一定の基準を満たす場合、その周波数帯域の報知情報を送信する基地局が周辺に存在する可能性が高いと判定し、その周波数帯域の信号を他の周波数帯域の信号より良好に受信できるように、無線回路２１３の周波数特性を変更する。
【００７２】
図８に示す例では、携帯端末２は、基地局３ａから受信した報知情報の周波数帯域Ｂの周波数特性、及び、基地局３ｂから受信した報知情報の周波数帯域Ｃの周波数特性が他の周波数帯域Ａの周波数特性より高くなるように、無線回路２１３の周波数特性を変更している。
【００７３】
これにより、携帯端末２は、周辺に存在する可能性が高い基地局が送信する周波数帯域の報知情報をより良好に受信できる。したがって、携帯端末２は、無線通信を確立できる基地局をより短時間に検出することが可能となり、より短時間に通信接続することが可能となる。さらに、携帯端末２は、接続率及び実効スループットを向上させるとともに、通信可能エリアを拡大させることも可能となる。なお、携帯端末２は、特定の基地局との無線通信を確立した後も周波数サーチを実行し続ける。したがって、携帯端末２は、例えば利用者が移動して、無線通信を確立している基地局と通信できない状態になった場合でも、新たに無線通信を確立できる基地局をより短時間に検出することが可能となり、より短時間に通信接続を復旧することが可能となる。
【００７４】
図９は、第２の実施形態に係る携帯端末２によるサーチ処理の動作の例を示すフローチャートである。
【００７５】
以下に説明するフローチャートは、予め記憶部２５に記憶されているプログラムに基づいて、主に制御部２６により、携帯端末２の各要素と協働して実行される。このフローチャートは、携帯端末２の電源起動直後又は任意のタイミングに実行される。また、このフローチャートが実行される前に、無線回路２１３において携帯端末２が無線通信可能な各周波数帯域の周波数特性は略均一になるように設定されているものとする。
【００７６】
図９に示したフローチャートのステップＳ２０１〜Ｓ２０３、Ｓ２０５〜Ｓ２０６の処理は、図７に示したフローチャートのステップＳ１０１〜Ｓ１０３、Ｓ１０５〜Ｓ１０６の処理と同様であるため説明を省略し、ステップＳ２０４の処理についてのみ説明する。
【００７７】
ステップＳ２０４において、受信部２１４が受信した周波数帯域の報知情報の電波品質又は電界強度が第１の基準を満たす場合、周波数特性変更部２６４は、その第１の基準を満たす報知情報に係る周波数帯域における無線回路２１３の周波数特性を変更する。周波数特性変更部２６４は、無線回路２１３が有する各モジュールの内の少なくとも一つのモジュールの設定を変更することにより、無線回路２１３の周波数特性を変更する。例えば、周波数特性変更部２６４は、その周波数帯域の周波数特性（出力）が、他の周波数帯域の周波数特性（出力）より高くなるように無線回路２１３の周波数特性を変更する。例えば、周波数特性変更部２６４は、その周波数帯域の周波数特性（出力）を増大させ、他の周波数帯域の周波数特性（出力）を低減させる。
【００７８】
即ち、周波数特性変更部２６４は、第１の基準を満たす報知情報に係る周波数帯域の信号の増幅率が第１の基準を満たさない報知情報に係る周波数帯域の信号の増幅率より大きくなるように無線回路２１３の周波数特性を変更する。または、周波数特性変更部２６４は、第１の基準を満たす報知情報に係る周波数帯域の信号の減衰率が第１の基準を満たさない報知情報に係る周波数帯域の信号の減衰率より小さくなるように無線回路２１３の周波数特性を変更する。このように、周波数特性変更部２６４は、報知情報の電波品質又は電界強度が第１の基準を満たすか否かに基づいて、以降の周波数サーチにおける無線回路２１３の周波数特性を変更する。
【００７９】
以上説明してきたように、携帯端末２は、周辺に存在する可能性が高い基地局に対応する周波数帯域を優先させるように以降の周波数サーチにおける無線回路２１３の周波数特性を変更する。したがって、携帯端末２は、無線通信を確立できる基地局をより短時間に検出することが可能となり、より短時間に通信接続することが可能となる。さらに、携帯端末２は、接続率及び実効スループットを向上させるとともに、通信可能エリアを拡大させることも可能となる。
【００８０】
（第３の実施形態）
図１０は、第３の実施形態に係る通信システム１による処理の一例を説明するための模式図である。
【００８１】
第３の実施形態に係る通信システム１の構成は、第１の実施形態に係る通信システム１の構成と同様である。但し、サーバ４は、各基地局３が配置されたエリアを記憶して、エリア毎に無線通信可能な周波数帯域を記憶している。携帯端末２は、自端末が存在する位置を検出し、その位置において無線通信可能な周波数帯域をサーバ４から取得し、その周波数帯域の信号を他の周波数帯域の信号より良好に受信できるように、無線回路２１３の周波数特性を変更する。
【００８２】
図１０に示す例では、携帯端末２は、サーバ４から取得した周波数帯域Ｂの周波数特性が他の周波数帯域Ａ、Ｃの周波数特性より高くなるように、無線回路２１３の周波数特性を変更している。
【００８３】
一般に、携帯端末２が使用すべき最適な周波数帯域はエリア（特に、都市部であるか郊外であるか田舎であるか等）によって異なる。そのため、エリア毎に最適な周波数帯域をサーバ４に予め登録しておくことにより、携帯端末２は、受信周波数帯域及び送信周波数帯域を、自装置が存在するエリアにおいて最適な周波数帯域に設定することが可能となる。したがって、携帯端末２は、無線通信を確立できる基地局をより短時間に検出することが可能となり、より短時間に通信接続することが可能となる。さらに、携帯端末２は、接続率及び実効スループットを向上させるとともに、通信可能エリアを拡大させることも可能となる。なお、携帯端末２は、特定の基地局との無線通信を確立した後も周波数サーチを実行し続ける。したがって、携帯端末２は、例えば利用者が移動して、無線通信を確立している基地局と通信できない状態になった場合でも、新たに無線通信を確立できる基地局をより短時間に検出することが可能となり、より短時間に通信接続を復旧することが可能となる。
【００８４】
図１１は、サーバ４のサーバ記憶部４２に記憶されるエリアテーブルのデータ構造の一例を示す図である。
【００８５】
図１１に示すように、エリアテーブルには、各エリア毎に、各エリアの属性及び周波数帯域等が記憶される。各エリアの属性として、都市部、郊外、田舎、山間部等の情報が記憶される。各エリアは、例えば緯度及び経度の範囲により規定される。周波数帯域は、各エリアにおいて無線通信可能な周波数帯域、即ち各エリアに配置された基地局が送受信する信号の周波数帯域を示す。
【００８６】
図１２は、第３の実施形態に係る通信システム１による周波数特性変更処理に係る動作シーケンスの一例を示す。
【００８７】
以下に説明する動作シーケンスは、予め記憶部２５及びサーバ記憶部３２に記憶されているプログラムに基づいて、主に制御部２６及びサーバ処理部３３により、携帯端末２及びサーバ４の各要素と協働して実行される。また、この動作シーケンスが実行される前に、無線回路２１３において携帯端末２が無線通信可能な各周波数帯域の周波数特性は略均一になるように設定されているものとする。
【００８８】
最初に、携帯端末２の周波数帯域取得部２６５は、位置検出部２４に、現在、携帯端末２が存在する位置（緯度、経度、高度等）を検出させ、位置検出部２４が出力した位置情報を取得する（ステップＳ３０１）。
【００８９】
次に、周波数帯域取得部２６５は、取得した位置情報を通信部２１を介してサーバ４に送信する（ステップＳ３０２）。なお、携帯端末２と基地局３の間の無線通信が確立していない場合、周波数帯域取得部２６５は、不図示の無線ＬＡＮ（Local Area Network）のアクセスポイントを介して位置情報をサーバ４に送信してもよい。その場合、携帯端末２は、無線ＬＡＮのアクセスポイントとの間でＩＥＥＥ（The Institute of Electrical and Electronics Engineers, Inc.）８０２．１１規格の無線通信方式等に基づいて無線通信を行う。
【００９０】
次に、サーバ４のサーバ制御部４３は、サーバ通信部４１を介して携帯端末２から位置情報を受信すると、エリアテーブルを参照して、受信した位置情報に示される位置が含まれるエリアを特定し、特定したエリアにおいて無線通信可能な周波数帯域を特定する（ステップＳ３０３）。
【００９１】
次に、サーバ制御部４３は、特定した周波数帯域を示す周波数帯域情報をサーバ通信部４１を介して携帯端末２に送信する（ステップＳ３０４）。一方、周波数帯域取得部２６５は、通信部２１を介してサーバ４から周波数帯域情報を受信して、携帯端末２が存在する位置において無線通信可能な周波数帯域を取得する。
【００９２】
次に、周波数特性変更部２６４は、周波数帯域取得部２６５が取得した周波数帯域における無線回路２１３の周波数特性を変更する（ステップＳ３０５）。周波数特性変更部２６４は、無線回路２１３が有する各モジュールの内の少なくとも一つのモジュールの設定を変更することにより、無線回路２１３の周波数特性を変更する。例えば、周波数特性変更部２６４は、その周波数帯域の周波数特性（出力）が、他の周波数帯域の周波数特性（出力）より高くなるように無線回路２１３の周波数特性を変更する。例えば、周波数特性変更部２６４は、その周波数帯域の周波数特性（出力）を増大させ、他の周波数帯域の周波数特性（出力）を低減させる。
【００９３】
即ち、周波数特性変更部２６４は、携帯端末２が存在する位置において無線通信可能な周波数帯域の信号の増幅率が他の周波数帯域の信号の増幅率より大きくなるように無線回路２１３の周波数特性を変更する。または、周波数特性変更部２６４は、携帯端末が存在する位置において無線通信可能な周波数帯域の信号の減衰率が他の周波数帯域の信号の減衰率より小さくなるように無線回路２１３の周波数特性を変更する。
【００９４】
以上説明してきたように、携帯端末２は、周辺に存在する基地局に対応する周波数帯域を優先させるように以降の周波数サーチにおける無線回路２１３の周波数特性を変更する。したがって、携帯端末２は、無線通信を確立できる基地局をより短時間に検出することが可能となり、より短時間に通信接続することが可能となる。さらに、携帯端末２は、接続率及び実効スループットを向上させるとともに、通信可能エリアを拡大させることも可能となる。また、通信システム１の提供者（運用者）は、エリア毎に最適な周波数帯域をサーバ４に予め登録しておくことにより、各携帯端末２の受信周波数特性を、その最適な周波数帯域に強制的に変更させることも可能となる。
【００９５】
なお、本発明は、上記した各実施形態に限定されない。例えば、通信システム１は、第１の実施形態、第２の実施形態又は第３の実施形態の内の二つ以上の実施形態に係る処理を同時に実行してもよい。
【００９６】
例えば、図７のステップＳ１０４において、順序変更部２６２が周波数帯域テーブルのサーチ順序を変更したときに、周波数特性変更部２６４が図９のステップＳ２０４に示した無線回路２１３の周波数特性の変更処理を実行してもよい。また、携帯端末２は、図７のフローチャートを実行しつつ、図１２の動作シーケンスを実行してもよい。
【００９７】
また、第２の実施形態及び第３の実施形態に係る処理が同時に実行される場合、例えば、携帯端末２は、基地局３から受信した報知情報に基づく判定結果よりも、携帯端末２の位置情報に基づく判定結果を優先させる。
【００９８】
例えば、周波数特性変更部２６４は、周波数帯域取得部２６５がサーバ４から携帯端末２が存在する位置において無線通信可能な周波数帯域を取得した場合、周波数サーチにおいて受信した、その周波数帯域の報知情報の電波品質又は電界強度が第１の基準を満たすか否かに関わらず、その周波数帯域における無線回路２１３の周波数特性を変更する。一方、周波数特性変更部２６４は、周波数帯域取得部２６５がサーバ４から携帯端末２が存在する位置において無線通信可能な周波数帯域を取得できない場合、周波数サーチにおいて受信した各報知情報の電波品質又は電界強度が第１の基準を満たすか否かに基づいて、無線回路２１３の周波数特性を変更する。同様に、周波数特性変更部２６４は、位置検出部２４が携帯端末２が存在する位置を検出できない場合も、受信部２１４が受信した各報知情報の電波品質又は電界強度が第１の基準を満たすか否かに基づいて、無線回路２１３の周波数特性を変更する。
【００９９】
これにより、携帯端末２は、受信周波数特性を、自端末が存在する位置に応じた最適な周波数帯域に変更しつつ、その位置に応じた最適な周波数帯域が不明である場合は、基地局３からの報知情報に基づいて、受信周波数特性を適切に変更することが可能となる。したがって、通信システム１は、各携帯端末２による通信が切断した場合の復旧時間の短縮、並びに、各携帯端末２の接続率の向上、実効スループットの向上、及び、通信可能エリアの拡大が可能となる。
【０１００】
または、携帯端末２は、サーバ４から周波数帯域情報を受信するまでは、周波数サーチにおいて受信した報知情報に基づいて無線回路２１３の周波数特性を変更し、サーバ４から周波数帯域情報を受信したときに、サーバ４から受信した周波数帯域情報に基づいて無線回路２１３の周波数特性を変更してもよい。
【０１０１】
これにより、携帯端末２は、サーバ４から周波数帯域情報を受信するまでに長時間を要する場合に、サーバ４から情報を受信する前に受信周波数特性を調整しつつ、サーバ４からより精度の良い情報を取得し次第、受信周波数特性を調整しなおすことが可能となる。
【０１０２】
当業者は、本発明の精神及び範囲から外れることなく、様々な変更、置換及び修正をこれに加えることが可能であることを理解されたい。
【符号の説明】
【０１０３】
１    通信システム
２    携帯端末
３    基地局
４    サーバ
２１    通信部
２４    位置検出部
２５    記憶部
２６１    周波数帯域変更部
２６２    順序変更部
２６３    決定部
２６４    周波数特性変更部
２６５    周波数帯域取得部
【図１】
2018026643.tif 000003
【図２】
2018026643.tif 000004
【図３】
2018026643.tif 000005
【図４】
2018026643.tif 000006
【図５】
2018026643.tif 000007
【図６】
2018026643.tif 000008
【図７】
2018026643.tif 000009
【図８】
2018026643.tif 000010
【図９】
2018026643.tif 000011
【図１０】
2018026643.tif 000012
【図１１】
2018026643.tif 000013
【図１２】
2018026643.tif 000014